(57)【要約】【課題】有害物質が生じない蛇口の結構改良を提供する。【解決手段】ステーンレスの材質で一体化のように蛇口の本体１１を口の形状に精密に鋳造する。蛇口の本体１１の一端にねじ山１２が設けられるので、蛇口１を水管に螺合することが可能である。蛇口の本体１１の一端に水の出口１３があり、蛇口の本体１１の中間の適当箇所にコック孔１４を設ける。コック孔１４を経由してコック１５を螺合する。コック１５の底部にセラミックのバルブ１６を設けて、水の開閉を制御する。コック１５の上にハンドル１７を接続して、コック１５のセラミックのバルブ１６を制御する。蛇口１には自身のステーンレス材質及びセラミックのバルブを採用する。蛇口１と水管との材質が同じであるため、蛇口１は電位差異がなく、錆びが付かず、有毒物質が生じないなどの効果を遂げる。【選択図】　　図１
0003096970.tif 000002
【実用新案登録請求の範囲】
【請求項１】
蛇口の構造改良において、ステーンレスの材質で一体化のように蛇口の本体を口の形状に精密に鋳造され、蛇口の本体の一端にねじ山が設けられて、蛇口を水管に螺合可能であり、蛇口の本体の一端に水の出口があり、蛇口の本体の中間の適当箇所にコック孔が設けられ、コック孔を経由してコックを螺合し、コックの底部にセラミックのバルブが設けられ、水の開閉を制御可能であり、コックの上にハンドルが接続され、コックのセラミックのバルブが制御され、蛇口には自身のステーンレス材質及びセラミックのバルブが採用され、蛇口と水管との材質が同じであるため、電位差異がなく、衛生の目的を遂げ、錆びが付かず、有毒物質が生じないことを特徴とする蛇口の構造改良。
【考案の詳細な説明】
【０００１】
【考案の属する技術分野】
本考案は、蛇口の構造改良に関するものである。
【０００２】
【従来の技術】
現代文明の進歩のため、人類の生活環境には大きな変化が起きる。つまり、人間の以前の原始生活環境から今日の科学技術の生活環境までの進歩は非常に速い。さて、現代の科学技術は現今の生活環境を汚染するので、現代の文明病が出て来る。いま、最高の死亡率は癌だと分かる。癌を招く原因は多いが、一番直接の原因は人類の飲用水源だと言って過言ではない。現代、人間の飲用水は山の水源から貯水池（ダム）まで導かれたあとで、ダムから水管をユーザの蛇口まで接続することで取られている。
【０００３】
【考案が解決しようとする課題】
でも、現今の蛇口はほぼくず鉄又は銅から作られるので、それら材質が水と接触すると、水質の変化が生じ、銅の材質ならば、緑青も発生し、皆、有毒物質がでてくる。銅をめっきしても、重金属のクロムがあるので、生産しているうちに、環境保護の問題を招いて、後の世の子孫に危害を与える。ひどいのになると、有毒物質又は癌を招く物質としては、蛇口と水管とが異なる材質であるために起きる電位差異のせいで、いつも有毒物質又は錆びの発生を加速させる。現今の科学技術において、ステーンレスは一番衛生的だと言える。ステーンレスは水で化学変化が生じず、有毒物質が出て来ないので、我々の使う水管はほぼステーンレスの材質に取り替えられる。キーポイントは、異なる材質の蛇口と水管とを結合すると、両者の間に電位差異が出て来るせいで、異なる材質の蛇口が錆び、癌を招く物質が発生する。
したがって、本考案の主な目的は、蛇口の構造改良を提供することにある。
【０００４】
【課題を解決するための手段】
本考案によると、蛇口の構造改良において、主に、ステーンレスの材質で一体化のように蛇口の本体を口の形状に精密に鋳造し、蛇口の本体の一端にねじ山が設けられるので、蛇口を水管に螺合することが可能であり、蛇口の本体の一端に水の出口があり、蛇口の本体の中間の適当箇所にコック孔を設け、コック孔を経由してコックを螺合し、コックの底部にセラミックのバルブを設けて、水の開閉を制御し、コックの上にハンドルを接続して、コックのセラミックのバルブを制御し、蛇口には自身のステーンレス材質及びセラミックのバルブを採用し、蛇口と水管との材質が同じであるため、電位差異がなく、衛生の目的を遂げ、以上の構造により蛇口は電位差異がなく、錆びが付かず、有毒物質が生じないなどの効果を遂げるということを特徴とする。
【０００５】
【考案の実施の形態】
本考案の目的、特徴および効果などをご了解なさるために、以下、さらに具体的な実施例を図面にあわせて詳しく説明してみよう。
図１から図４を御覧下さい。本考案の一実施例による蛇口の構造改良は、主に、ステーンレスの材質で一体化のように蛇口の本体１１を精密に口の形状に鋳造する。蛇口の本体１１の一端にねじ山１２が設けられるので、蛇口１を水管２に螺合することができる。蛇口の本体１１の一端に水の出口１３があるが、蛇口の本体１１の中間の適当箇所にコック孔１４を設ける。コック孔１４を経由して、コック１５を螺合する。コック１５の底部にセラミックのバルブ１６を設けて、水の開閉を制御する。コック１５の上にハンドル１７を接続して、コック１５のセラミックのバルブ１６を制御する。蛇口１には自身のステーンレス材質及びセラミックのバルブ１６を採用する。よって、蛇口１と水管２との材質が同じだから、電位差異がなく、衛生の目的を遂げる。以上の構造で、蛇口は電位差異がなく、錆びが付かず、有毒物質が生じないなどの効果を果たす。
【図面の簡単な説明】
【図１】本考案の一実施例による蛇口の構造改良を示す分解斜視図である。
【図２】本考案の一実施例による蛇口の構造改良を示す斜視図である。
【図３】本考案の一実施例による蛇口の構造改良を示す断面図である。
【図４】本考案の一実施例による蛇口の構造改良を示す斜視図である。
【符号の説明】
１　　蛇口
１１　　蛇口の本体
１２　　ねじ山
１３　　水の出口
１４　　コック孔
１５　　コック
１６　　セラッミクのバルブ
１７　　ハンドル
【図１】
0003096970.tif 000003
【図２】
0003096970.tif 000004
【図３】
0003096970.tif 000005
【図４】
0003096970.tif 000006
【手続補正書】
【提出日】平成15年5月9日(2003.5.9)
【手続補正１】
【補正対象書類名】明細書
【補正対象項目名】実用新案登録請求の範囲
【補正方法】変更
【補正の内容】
【実用新案登録請求の範囲】
【請求項１】
蛇口において、ステーンレスの材質で一体化のように蛇口の本体を口の形状に精密に鋳造され、蛇口の本体の一端にねじ山が設けられて、蛇口を水管に螺合可能であり、蛇口の本体の一端に水の出口があり、蛇口の本体の中間の適当箇所にコック孔が設けられ、コック孔を経由してコックを螺合し、コックの底部にセラミックのバルブが設けられ、水の開閉を制御可能であり、コックの上にハンドルが接続され、コックのセラミックのバルブが制御され、蛇口には自身のステーンレス材質及びセラミックのバルブが採用され、蛇口と水管との材質が同じであるため、電位差異がなく、衛生の目的を遂げ、錆びが付かず、有毒物質が生じないことを特徴とする蛇口。
【手続補正２】
【補正対象書類名】明細書
【補正対象項目名】０００１
【補正方法】変更
【補正の内容】
【０００１】
【考案の属する技術分野】
本考案は、蛇口に関するものである。


【手続補正３】
【補正対象書類名】明細書
【補正対象項目名】０００３
【補正方法】変更
【補正の内容】
【０００３】
【考案が解決しようとする課題】
でも、現今の蛇口はほぼくず鉄又は銅から作られるので、それら材質が水と接触すると、水質の変化が生じ、銅の材質ならば、緑青も発生し、皆、有毒物質がでてくる。銅をめっきしても、重金属のクロムがあるので、生産しているうちに、環境保護の問題を招いて、後の世の子孫に危害を与える。ひどいのになると、有毒物質又は癌を招く物質としては、蛇口と水管とが異なる材質であるために起きる電位差異のせいで、いつも有毒物質又は錆びの発生を加速させる。現今の科学技術において、ステーンレスは一番衛生的だと言える。ステーンレスは水で化学変化が生じず、有毒物質が出て来ないので、我々の使う水管はほぼステーンレスの材質に取り替えられる。キーポイントは、異なる材質の蛇口と水管とを結合すると、両者の間に電位差異が出て来るせいで、異なる材質の蛇口が錆び、癌を招く物質が発生する。
したがって、本考案の主な目的は、錆びが付かず、有害物質が生じない蛇口を提供することにある。


【手続補正４】
【補正対象書類名】明細書
【補正対象項目名】０００４
【補正方法】変更
【補正の内容】
【０００４】
【課題を解決するための手段】
本考案によると、蛇口において、主に、ステーンレスの材質で一体化のように蛇口の本体を口の形状に精密に鋳造し、蛇口の本体の一端にねじ山が設けられるので、蛇口を水管に螺合することが可能であり、蛇口の本体の一端に水の出口があり、蛇口の本体の中間の適当箇所にコック孔を設け、コック孔を経由してコックを螺合し、コックの底部にセラミックのバルブを設けて、水の開閉を制御し、コックの上にハンドルを接続して、コックのセラミックのバルブを制御し、蛇口には自身のステーンレス材質及びセラミックのバルブを採用し、蛇口と水管との材質が同じであるため、電位差異がなく、衛生の目的を遂げ、以上の構造により蛇口は電位差異がなく、錆びが付かず、有毒物質が生じないなどの効果を遂げるということを特徴とする。


【手続補正５】
【補正対象書類名】明細書
【補正対象項目名】０００５
【補正方法】変更
【補正の内容】
【０００５】
【考案の実施の形態】
本考案の目的、特徴および効果などをご了解なさるために、以下、さらに具体的な実施例を図面にあわせて詳しく説明してみよう。
図１から図４を御覧下さい。本考案の一実施例による蛇口は、主に、ステーンレスの材質で一体化のように蛇口の本体１１を精密に口の形状に鋳造する。蛇口の本体１１の一端にねじ山１２が設けられるので、蛇口１を水管２に螺合することができる。蛇口の本体１１の一端に水の出口１３があるが、蛇口の本体１１の中間の適当箇所にコック孔１４を設ける。コック孔１４を経由して、コック１５を螺合する。コック１５の底部にセラミックのバルブ１６を設けて、水の開閉を制御する。コック１５の上にハンドル１７を接続して、コック１５のセラミックのバルブ１６を制御する。蛇口１には自身のステーンレス材質及びセラミックのバルブ１６を採用する。よって、蛇口１と水管２との材質が同じだから、電位差異がなく、衛生の目的を遂げる。以上の構造で、蛇口は電位差異がなく、錆びが付かず、有毒物質が生じないなどの効果を果たす。


【手続補正６】
【補正対象書類名】明細書
【補正対象項目名】図面の簡単な説明
【補正方法】変更
【補正の内容】
【図面の簡単な説明】
【図１】本考案の一実施例による蛇口を示す分解斜視図である。
【図２】本考案の一実施例による蛇口を示す斜視図である。
【図３】本考案の一実施例による蛇口を示す断面図である。
【図４】本考案の一実施例による蛇口を示す斜視図である。
【符号の説明】
１　　蛇口
１１　　蛇口の本体
１２　　ねじ山
１３　　水の出口
１４　　コック孔
１５　　コック
１６　　セラッミクのバルブ
１７　　ハンドル